【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、
第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、
次の条件式（１）及び（６）を満足することを特徴とするズームレンズ系。
（１）０．５＜（ｒａ−ｒｂ）／（ｒａ＋ｒｂ）＜１．２
（６）ν１−３＜２１．３
但し、
ｒａ：第１レンズ群中の第１−２レンズの物体側の面の曲率半径、
ｒｂ：第１レンズ群中の第１−２レンズの像側の面の曲率半径、
ν１−３：第１レンズ群中の第１−３レンズのアッベ数。
【請求項２】
物体側から順に、負の屈折力を有する第１レンズ群と、正の屈折力を有する第２レンズ群と、正の屈折力を有する第３レンズ群とからなり、
第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、
短焦点距離端から長焦点距離端への変倍に際し、第１レンズ群は一旦像側に移動してから物体側に移動し、第２レンズ群は物体側に単調に移動し、第３レンズ群は像側に単調に移動するズームレンズ系において、
次の条件式（２）及び（６）を満足することを特徴とするズームレンズ系。
（２）０．５＜ｆ２／ｆ３＜０．９
（６）ν１−３＜２１．３
但し、
ｆ２：第２レンズ群の焦点距離、
ｆ３：第３レンズ群の焦点距離、
ν１−３：第１レンズ群中の第１−３レンズのアッベ数。
【請求項３】
物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、
第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、
第２レンズ群は、物体側から順に、少なくとも１面を非球面とする正の屈折力を有する第２−１レンズと、正の屈折力を有する第２−２レンズと、負の屈折力を有する第３レンズの3枚で構成され、次の条件式（３）及び（６）を満足することを特徴とするズームレンズ系。
（３）ν２−１＞６０
（６）ν１−３＜２１．３
但し、
ν２−１：第２レンズ群中の第２−１レンズのアッベ数、
ν１−３：第１レンズ群中の第１−３レンズのアッベ数。
【請求項４】
物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、
第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、
短焦点距離端から長焦点距離端への変倍に際し、第２レンズ群は物体側に単調に移動し、第３レンズ群は像側に単調に移動し、
次の条件式（４）、（５）及び（６）を満足することを特徴とするズームレンズ系。
（４）３．２＜ｍ２ｔ／ｍ２ｗ＜４．０
（５）１．０５＜ｍ３ｔ／ｍ３ｗ＜１．４
（６）ν１−３＜２１．３
但し、
ｍ２ｔ：長焦点距離端での無限遠合焦時の第２レンズ群の結像倍率、
ｍ２ｗ：短焦点距離端での無限遠合焦時の第２レンズ群の結像倍率、
ｍ３ｔ：長焦点距離端での無限遠合焦時の第３レンズ群の結像倍率、
ｍ３ｗ：短焦点距離端での無限遠合焦時の第３レンズ群の結像倍率、
ν１−３：第１レンズ群中の第１−３レンズのアッベ数。
【請求項５】
請求項４記載のズームレンズ系において、次の条件式（１）を満足するズームレンズ系。
（１）０．５＜（ｒａ−ｒｂ）／（ｒａ＋ｒｂ）＜１．２
但し、
ｒａ：第１レンズ群中の第１−２レンズの物体側の面の曲率半径、
ｒｂ：第１レンズ群中の第１−２レンズの像側の面の曲率半径。
【請求項６】
請求項４又は５記載のズームレンズ系において、次の条件式（２）を満足するズームレンズ系。
（２）０．５＜ｆ２／ｆ３＜０．９
但し、
ｆ２：第２レンズ群の焦点距離、
ｆ３：第３レンズ群の焦点距離。
【請求項７】
請求項４ないし６のいずれか１項記載のズームレンズ系において、第２レンズ群中の第２-１レンズは、両面非球面であるズームレンズ系。
【請求項８】
請求項１ないし７のいずれか１項記載のズームレンズ系において、第３レンズ群は、少なくとも１面が非球面の両凸の樹脂製レンズからなるフォーカスレンズ群であるズームレンズ系。
【請求項９】
請求項１ないし８のいずれか１項記載のズームレンズ系によって結像される撮像素子を備えた電子撮像装置。
【手続補正２】
【補正対象書類名】明細書
【補正対象項目名】０００８
【補正方法】変更
【補正の内容】
【０００８】
本発明は、第一の態様によると、物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、第１レンズ群は、物体側から順に、負の屈折力を有する第１-１レンズと、少なくとも1面を非球面とした弱い負の屈折力の第１−２レンズと、正の屈折力を有する第１−３レンズの３枚で構成され、次の条件式（１）及び（６）を満足することを特徴とするズームレンズ系。
（１）０．５＜（ｒａ−ｒｂ）／（ｒａ＋ｒｂ）＜１．２
（６）ν１−３＜２１．３
但し、
ｒａ：第１レンズ群中の第１−２レンズの物体側の面の曲率半径、
ｒｂ：第１レンズ群中の第１−２レンズの像側の面の曲率半径、
ν１−３：第１レンズ群中の第１−３レンズのアッベ数、
である。
【手続補正３】
【補正対象書類名】明細書
【補正対象項目名】０００９
【補正方法】変更
【補正の内容】
【０００９】
本発明は、第二の態様では、物体側から順に、負の屈折力を有する第１レンズ群と、正の屈折力を有する第２レンズ群と、正の屈折力を有する第３レンズ群とからなり、
第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、短焦点距離端から長焦点距離端への変倍に際し、第１レンズ群は一旦像側に移動してから物体側に移動し、第２レンズ群は物体側に単調に移動し、第３レンズ群は像側に単調に移動するズームレンズ系において、次の条件式（２）及び（６）を満足することを特徴とするズームレンズ系。
（２）０．５＜ｆ２／ｆ３＜０．９
（６）ν１−３＜２１．３
但し、
ｆ２：第２レンズ群の焦点距離、
ｆ３：第３レンズ群の焦点距離、
ν１−３：第１レンズ群中の第１−３レンズのアッベ数、
である。
【手続補正４】
【補正対象書類名】明細書
【補正対象項目名】００１０
【補正方法】変更
【補正の内容】
【００１０】
本発明は、第三の態様では、物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、
第２レンズ群は、物体側から順に、少なくとも１面を非球面とする正の屈折力を有する第２−１レンズと、正の屈折力を有する第２−２レンズと、負の屈折力を有する第３レンズの3枚で構成され、次の条件式（３）及び（６）を満足することを特徴とするズームレンズ系。
（３）ν２−１＞６０
（６）ν１−３＜２１．３
但し、
ν２−１：第２レンズ群中の第２−１レンズのアッベ数、
ν１−３：第１レンズ群中の第１−３レンズのアッベ数、
である。
【手続補正５】
【補正対象書類名】明細書
【補正対象項目名】００１１
【補正方法】変更
【補正の内容】
【００１１】
本発明は、第四の態様では、物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、第１レンズ群は、物体側から順に、負の屈折力を有する第１−１レンズと、少なくとも1面を非球面とした弱い負の屈折力の第１−２レンズと、正の屈折力を有する第１−３レンズの３枚で構成され、短焦点距離端から長焦点距離端への変倍に際し、第２レンズ群は物体側に単調に移動し、第３レンズ群は像側に単調に移動し、
次の条件式（４）、（５）及び（６）を満足することを特徴とするズームレンズ系。
（４）３．２＜ｍ２ｔ／ｍ２ｗ＜４．０
（５）１．０５＜ｍ３ｔ／ｍ３ｗ＜１．４
（６）ν１−３＜２１．３
但し、
ｍ２ｔ：長焦点距離端での無限遠合焦時の第２レンズ群の結像倍率、
ｍ２ｗ：短焦点距離端での無限遠合焦時の第２レンズ群の結像倍率、
ｍ３ｔ：長焦点距離端での無限遠合焦時の第３レンズ群の結像倍率、
ｍ３ｗ：短焦点距離端での無限遠合焦時の第３レンズ群の結像倍率、
ν１−３：第１レンズ群中の第１−３レンズのアッベ数、
である。
【手続補正６】
【補正対象書類名】明細書
【補正対象項目名】００１２
【補正方法】削除
【補正の内容】
【手続補正７】
【補正対象書類名】明細書
【補正対象項目名】００３５
【補正方法】変更
【補正の内容】
【００３５】
（表１）
FNO.  =  1: 2.6 - 3.7 - 6.1
f     =  5.00 - 9.80 - 20.04
W     =  41.4 - 22.6 - 11.5
fB    =  0.59 - 0.59 - 0.59
面No.         r          d            Nd          ν
1           62.312      0.70         1.77250     49.6
2            7.598      3.38
3*          73.041      0.80         1.54358     55.7
4*          20.704      0.10
5           18.876      1.40         1.92286     18.9
6           50.960   17.02 - 7.06 - 1.83
7*           6.688      2.10         1.49700     81.6
8*         -15.776      0.10
9            5.620      1.80         1.75700     47.8
10         -14.180      0.90         1.80610     33.3
11           3.484    4.17 - 9.83 - 20.87
12*         33.208      2.00         1.54358     55.7
13*        -11.311    2.43 - 2.09 - 1.20
14           ∞         0.50         1.51633     64.1
15           ∞         0.51
16           ∞         0.50         1.51633     64.1
17           ∞          -
＊は回転対称非球面を表す。
非球面データ（表示していない非球面係数は0.00である。）；
面No.   K          A4           A6             A8             A10
NO.3  -1.0  -0.12295×10-2  0.48935×10-4  -0.60367×10-6
NO.4  -1.0  -0.13418×10-2  0.52036×10-4  -0.76764×10-6  0.92200×10-9
NO.7  -1.0   0.13222×10-4  0.13088×10-4  -0.12846×10-5
NO.8  -1.0   0.12167×10-3  0.14282×10-4  -0.15874×10-5
NO.12 -1.0  -0.84756×10-4  0.48311×10-4  -0.44751×10-6
NO.13 -1.0   0.24053×10-3  0.34834×10-4   0.80658×10-6  -0.32142×10-7